【事件の表示】
　平成　４年特許願第１７２０５８号「循環型のカード式パチンコ機」拒絶査定不服審判事件〔平成　５年１２月２１日出願公開、特開平　５−３３７２４４〕について、次のとおり審決する。
【結　論】
　本件審判の請求は、成り立たない。
【理　由】
１． 手続きの経緯、本願発明
　本願は、平成４年６月５日の出願であって、その請求項１に係る発明は、平成１２年１１月３０日付け手続補正書及び当審で提出された平成１６年１月２１日付けの手続補正書により補正された明細書及び出願当初の図面の記載からみて、その特許請求の範囲の請求項１に記載された次のとおりのものと認める。（以下、「本願発明」という。）
　
【請求項１】　打球位置へ送り込まれかつ発射装置によって遊技盤面に発射されたパチンコ球を回収する回収部と、その回収部から出た球を貯留して誘導する貯留誘導部と、その貯留誘導部のパチンコ球を送り出す球送り装置と、その球送り装置によって送り出されパチンコ球を前記打球位置へ送り出す待機誘導部と、を備えた循環経路内に一定個数のパチンコ球を封入した状態で循環使用する循環型のカード式パチンコ機において、
　本体枠の下部に装着された取付基板には、前記循環経路のパチンコ球を検出する検出器に接続されかつ前記球送り装置を駆動する球送りモータを制御する球循環制御基板と、前記発射装置を駆動する発射モータを制御する発射装置制御基板とを設け、
　前記本体枠に開閉および脱着可能に係止されて前面側にカード挿入口と球貸しスイッチと終了スイッチと表示パネルとが設けられた操作パネルの裏面側には表示回路基板と、カードリードアンドライトユニットと前記球循環制御基板との間を伝送されるデータ信号を中継するカードユニット接続用中継基板とを装着し、
　前記遊技盤の後方にはその遊技盤面に配設された入賞装置の取扱いを主として処理制御するメイン基板を覆設し、
　前記本体枠の上端部にはこの本体枠の前面上部で各種情報を点灯表示する表示灯用の表示灯基板と、当該パチンコ機において発生した各種情報を外部へ出力するターミナル基板とを設け、
　前記本体枠の各個所で個別に独立させた状態でそれぞれ設けられた前記球循環制御基板、前記発射装置制御基板、前記表示回路基板、前記カードユニット接続用中継基板、前記表示灯基板、前記ターミナル基板、及び前記遊技盤後方の前記メイン基板の各基板をコネクタによって電気的に接続し、
　しかも、前記発射装置制御基板は、前記発射装置の発射モータの近傍に配置され、
　前記球循環制御基板は、前記発射装置と前記球送り装置との間において前記球送りモータの近傍に配置されていることを特徴とする循環型のカード式パチンコ機。
　
２． 引用例に記載の発明
　当審は、平成１５年１１月１８日付けで通知した拒絶理由通知で、本願の特許請求の範囲に記載の発明は、刊行物である下記の第１乃至６引用例に記載された発明に基づいて当業者が容易に発明をすることができたものであるから、特許法第２９条第２項の規定により特許を受けることができない旨通知した。
　第１引用例：特開平４−５８９７５号公報
　第２引用例：特開平３−２２８７８９号公報
  第３引用例：特開平４−１４６７８４号公報
  第４引用例：特開平３−２９５５８１号公報
  第５引用例：実願平１−７５９６６号（実開平３−１５５９３号）のマイクロフィルム
  第６引用例：特開昭６３−２８３６７０号公報
　
（１） 第１引用例に記載の発明
ｉ．第１引用例（特開平４−５８９７５号公報）には、カード式パチンコ遊技機に関し、以下の記載が認められる。
「第７図には……。この実施例のパチンコ機は封入球循環方式とされており、各パチンコ機１００には、第７図に示すようにカードリーダ４２０と持玉の量をアナログ的に表示するための表示ランプ１０５がパチンコ機１００の上部に、また、カードによる遊技の終了、持玉への変換等の指令を与える操作パネル１１０がパチンコ機の下部にそれぞれ設けられている。………また、操作ダイヤル１０４の上方には、前記カードを使用した遊技開始の手続きを可能にするための金額表示器１１１、玉数表示器１１２、変換スイッチ１１３、中断スイッチ１１４、終了スイッチ１１５、遊技状態表示器１１６等を備えた操作パネル１１０が設けられている。………変換スイッチ１１３は、上記カードリーダ４２０へのカードの挿入を前提としてカードの有する金額の範囲内で、２００円等の単位でこれを遊技球に変換するための指示スイッチで、変換された遊技球が持玉数となる。」（第５頁左下欄第９行−右下欄第１５行）
「この誘導樋１３２は第９図のごとくアウト球樋１３２ａと第１セーフ球樋１３２ｂ、第２セーフ球樋１３２ｃとが一体に形成されてなり各樋の途中には、一対の投光、受光器からなる光電式のアウトセンサＳＮＳ１と第１セーフセンサＳＮＳ２、第２セーフセンサＳＮＳ３が取り付けられている。また、誘導樋１３２は、各樋に流入した球を一箇所に集める合流樋部１３２ｄを備え、合流樋部１３２ｄの終端は、第９図に示すようにパチンコ球を一列に整列せしめるべく緩やかに傾斜された案内樋１３３の上流側に接続され、これによって封入球循環装置１３０が構成されている。」（第６頁右上欄第１７行−左下欄第９行）
「そして、上記案内樋１３３の下端部に、対向して、球一つ分の収納部１３５ａを有し、案内樋１３３上の球を一個ずつ分離して下方へ流下せしめる球送り１３５が揺動可能に取付けられている。球送り１３５の後方にはストッパ１３６が固設され、球送り１３５の必要以上の回動を阻止して球送り１３５が流入した球の重みで下方へ回動したときにその上辺端面が案内樋１３３上の球の流下を阻止できるようになっている。」（第６頁左下欄第１９行−右下欄第７行）
「第１０図に示すように、封入球循環装置１３０がフレームボード１０９の裏面に装着された状態では、……」（第６頁右下欄第１１−１３行）
「球送り１３５により分離されたパチンコ球は、前面パネル１０５の後方に配設されたフレームボード１０９に形成された球通過孔１３９（第１１図参照）を通って、フレームボードの前面に斜めに固着された発射レール１４０の基部に一個宛流下される。そして、この発射レール１４０の基部に臨むように発射杆１０３ａが配設される（第１２図参照）。これとともに、発射レール１４０の基部の下方には、上記発射杆１０３ａに連動して回動され、上記球送り１３５を上方へ押し上げる押上げ片１４１ａを有する連動部材１４１が配設されている。」（第７頁左上欄第６−１７行）
「なお、第８図は前面枠１０８の裏面に遊技盤を保持したフレーム１０６とフレームボード１０９を取り付けた状態を示しており、フレーム１０６に保持された遊技盤の裏面には更に入賞球集合樋１３１が装着され、またフレームボード１０９の下方にはパチンコ機制御装置１９５が配設されている。さらに、フレーム１０６および入賞球集合樋１３１の裏面には遊技の制御装置１５８や中継基板１５９が装着されている。」（第７頁右下欄第９−１７行）
「そして、このカードリーダ制御装置１８８は遊技店全体の管理装置（後述）と通信ラインを介して接続されたユニット制御装置１８０に接続されている。ユニット制御装置１８０はパチンコ機に設けられた台番号設定スイッチ１７１やテストスイッチ１７９、呼出スイッチ１６５、金枠スイッチ１７３、前面枠スイッチ１７５からの入力を受け、アナログランプ１６３、パチンコ機状態ランプ１６２、セーフ球ランプ１６４、カード挿入ランプ１６８およびスピーカ１６６を制御する。また、特に制限されないが、この実施例では光ケーブル１９１を介して、パチンコ機１００の制御装置１９５が上記ユニット制御装置１８０に接続され、各種センサからの検出信号が入力されるとともに、表示器等に対する駆動制御信号が出力される。」（第８頁左下欄第１６行−右下欄第１１行）
「上記パチンコ機制御装置１９５の制御下に、金額表示器１１１や玉数表示器１１２、変換スイッチ１１３内の変換ランプ１２１、遊技状態表示ランプ１２３や打球発射装置１０３の制御装置１９４および役物制御装置１５８が置かれているとともに、変換スイッチ１１３、中断スイッチ１１４、終了スイッチ１１５やアウトセンサ等の球検出センサＳＮＳ１〜ＳＮＳ５からの信号がパチンコ機制御装置１９５によって波形整形されてユニット制御装置１８０に供給されるようになっている。」（第９頁左上欄第６−１５行）
「１６０‥‥制御ユニット、１８０‥‥ユニット制御装置、１８８‥‥カードリーダ制御装置」（第２１頁右下欄第１５−１７行）
　また、第８図には、フレームボード１０９は前面枠１０８の下部に装着されていることと、及び、打球発射装置１０３のモータの近傍には、打球発射装置１０３の制御装置１９４が装着されていることが記載されているものと認められる。
　また、第１０図及び第１１図の記載からみて、パチンコ機制御装置１９５は、フレームボード１０９に取り付けられているものと認められる。
　また、第７図及び第１５図の記載からみて、カードリーダ４２０と、カードリーダ制御装置１８８及びユニット制御装置１８０を備える制御ユニット１６０とが、前面枠１０８の上端部に設けられているものと認められる。
　
ｉｉ．第１引用例における前記適示の記載及び図面の記載によれば、第１引用例には、以下の発明（以下、「引用発明」という。）が記載されているものと認められる。
「発射レール１４０の基部へ送り込まれかつ打球発射装置１０３によって遊技盤面に発射されたパチンコ球を回収する合流樋部１３２ｄと、その合流樋部１３２ｄから誘導された球を案内する案内樋１３３と、を備えた封入球循環装置１３０内に一定個数のパチンコ球を封入した状態で循環使用する循環型のカード式パチンコ機１００において、
　前面枠１０８の下部に装着されたフレームボード１０９には封入球循環装置１３０と、打球発射装置１０３の制御装置１９４とを設け、パチンコ機１００の下部に設けられた操作パネル１１０には前面側に変換スイッチ１１３と終了スイッチ１１５と金額表示器１１１と玉数表示器１１２と遊技状態表示器１１６とを設け、遊技盤の後方には役物制御装置１５８を設け、前面枠１０８の上端部には、カードリーダ４２０と、カードリーダ制御装置１８８と、アナログランプ１６３、パチンコ機状態ランプ１６２、セーフ球ランプ１６４、及び、遊技店全体の管理装置に通信ラインを介して接続されたユニット制御装置１８０と、を備える制御ユニット１６０を設け、パチンコ機制御装置１９５とユニット制御装置１８０と各種センサと表示器等とが光ケーブルにより接続し、打球発射装置１０３の制御装置１９４は、打球発射装置１０３のモータの近傍に配置されている循環型のカード式パチンコ機」
　
（２） 第２引用例に記載の発明
　第２引用例（特開平３−２２８７８９号公報）には、カード式パチンコ機に関し、以下の記載が認められる。
「従来、パチンコ機本体内に封入した所定数の遊技球を循環使用し、遊技球数データー等の各種信号要素が記録されたカードをカード挿入口に挿入することにより遊技が開始され、」（第１頁右欄第１０−１３行）
「前記打球払出手段３２は、第４図及び第５図に示すように導出樋３１の下端に連通する球通路３２１，３２１と、モーター３２２と、該モーター３２２によって回転するウオーム３２３と、該ウオーム３２３に噛合するウオーム歯車３２４と、該ウオーム歯車３２４の軸３２５の両端に固定された歯車状の球切円盤３２６，３２６とにより構成される。前記球切円盤３２６，３２６の外周には球通路３２１，３２１に臨んで打球を一個づつ嵌入し得る凹部３２７，３２７が等間隔に形成されている。そしてモーター３２２の回転によりウオーム３２３、ウオーム歯車３２４が回転し、球通路３２１，３２１の打球を排出通路３３に払出すようになっている。尚前記球切円盤３２６，３２６は互いに回転方向に相体的にずらして軸３２５に固定されており、これによって球通路３２１，３２１の打球を一個単位で放出することが可能なように構成されている。」（第３頁右上欄第３−１８行）
「前記打球供給部２１には、打球の払出指令手段としての残量球数検出器４６が設けられる。この残量球数検出器４６は、例えば投光器と受光器を同一ケース内に内蔵した直接反射形の光電スイツチであり、第８図に示すように打球供給部２１の打球が一列で並ぶ通路部分２１２に設けられる。そして、通路部分２１２に打球があるときには、投光器から放射された光が打球に反射してその反射光が受光器に入射され、通路部分２１２に打球が無くなると投光器から放射された光が受光器に入射しなくなってＯＮするように設定される。」（第３頁右下欄第１０−２０行）
「一方、パチンコ機１の裏面にはカード挿入口２４に挿入されたカードの記録情報を読み取り及び書き込むことができるカードリーダー６２が設けられる。さらにカードに記録された記録情報を記憶する情報記憶手段６３、打球供給部２１の打球が予め定められた残量球数以下になったとき、打球の払出し信号を出力する払出指令手段６４、打球発射位置から発射された打球数を「−」の入力として加え、入賞領域に入賞した入賞球一個当りの換算景品球数及びフアール球数を「＋」の入力として加えて加減演算を行う演算手段６６、前記演算手段６６の演算値が予め定められた設定数以下のとき、所定金額に相当する球数を情報記憶手段６３の記憶値から減算すると共に、その減算された球数を演算手段６６の演算値に加算する制御手段６７等を含む、マイクロコンピユータ68が設けられる。」（第４頁右下欄第６行−第５頁左上欄第１行）
　また、第３図の記載からみて、導出樋３１の下方には打球払出手段３２の球通路３２１，３２１へ至る中間球通路が存在すること、及び、マイクロコンピュータ６８がパチンコ機１の裏面の下方の打球槌５７と打球払出手段３２の間に設けられていること、が記載されているものと認められる。
　
（３） 第３引用例に記載の発明
　第３引用例（特開平４−１４６７８４号公報）には、パチンコ機に関し、以下の記載が認められる。
「また、パチンコ機１の背面には、前記遊技盤６の後方に遊技動作を制御する遊技制御基板３２が設けられ、前記前面枠３の裏面下部には、打球を発射する打球発射装置３３と前記カード装置制御基板２１と排出玉制御基板４０とが設けられている。カード装置制御基板２１と排出玉制御基板４０とは、相互に接続され、必要な情報をやり取りしている。」（第３頁右上欄第１７行−左下欄第４行）
　
（４） 第４引用例に記載の発明
　第４引用例（特開平３−２９５５８１号公報）には、パチンコ機に関し、以下の記載が認められる。
「該媒体処理関連装置１０は、情報記録媒体（例えば磁気カード，ＩＣカード等）の挿入口１０ａ、情報記録媒体の排出口１０ｂ、球数表示部１０ｃ、金額セレクトボタン１０ｄ、清算ボタン１０ｅを遊技者側に向けて配設したもので、さらに、情報記録媒体の読み書き装置（図示せず）を内蔵したものである。」（第３頁左上欄第９−１５行）
「第３，４図は、第二実施例を示すパチンコ機１Ｂの斜視図と前枠２の分解斜視図である。  この実施例では、媒体処理関連装置１０が取付基盤１２に固着されており、該取付基盤１２を前枠２側に溶接やビス止め等によって固定するようにしたものである。この実施例によれば、窓孔３を従来のパチンコ機と同じ長方形にすることができるから、普通のパチンコ機に使用する前枠２を共用でき、コストの低減を図り得る。また、この取付基盤１２を前枠２に回動自在に取付ける（前板９の開閉方向に対して観音開き状にする）ようにすれば、媒体処理関連装置１０の故障に対して修理を行ない易くすることができる。この場合、前板９と取付基盤１２は分離して開閉できるため、前板９を頻繁に開閉させても媒体処理関連装置１０が影響を受けることはなく、かつ、取付基盤１２を開くことも極めて稀であるからケーブル類の断線というようなことも起こらない。」（第３頁右上欄第１４行−左下欄第１１行）
　
（５） 第５引用例に記載の発明
　第５引用例（実願平１−７５９６６号（実開平３−１５５９３号）のマイクロフィルム）には、パチンコ機に関し、以下の記載が認められる。
「このターミナル基板ボックスは、外部からの電源、あるいは情報をパチンコ機に供給するための端子や、あるいはパチンコ機からの情報を外部（例えば、管理コンピュータ）に導出するための端子等が設けられている。」（第２頁第１−５行）
「また、ターミナル基板５１には、前記制御基板ケース４２に収納される制御基板に電源を供給する接続端子５３ａ、外部電源に接続するための接続端子５３ｂ、前記玉切れスイッチ２６ａ，２６ｂの玉切れ情報を導出するために管理コンピュータと接続するための接続端子５３ｃ、管理コンピュータの指令に基づいて前記発射モータ３５を強制的に停止させるために管理コンピュータと接続するための接続端子５３ｄ、前記情報制御回路によって制御された獲得玉に関する情報を管理コンピュータに導出するために管理コンピュータと接続するための接続端子５３ｅ、７個用の獲得ランプ１７ｂに接続するための接続端子５３ｆ、前記玉切れスイッチ２６ａ〜２６ｃを接続するための接続端子５３ｇ、前記入出力中継基板４１からの配線を接続する接続端子５３ｈ、前記玉切れランプ１６を接続するための接続端子５３ｉ、及び１３個用の獲得ランプ１７ａを接続するための接続端子５３ｊがそれぞれ設けられている。更に、ターミナル基板５１には、前記した電気的機器に過電流が流れたときに、それらの電気的機器が破壊されないようにヒューズ５４ａ，５４ｂも設けられている。」（明細書第１４頁第１７行−第１５頁第１９行）
　
（６） 第６引用例に記載の発明
　第６引用例（特開昭６３−２８３６７０号公報）には、パチンコ機に関し、以下の記載が認められる。
「本発明に係る配線処理装置８は、パチンコ機１に配設した電気的部材とパチンコ店の中央管理室に設置したホストコンピュータなどの外部処理装置とを電気的に連絡する配線を接続するためのものでる。配線処理装置８は、端子板ボックス９内に接続端子１０を有する端子板１１を収設してなり、該配線処理装置８をパチンコ機１の裏面の一隅に設ける。尚、配線処理装置８を裏板１２の支持側上部に設ければ、前面枠などを開閉する際に必要なケーブルの遊びの点で有利である。端子板ボックス９は第２図ないし第４図に示すように底部１３を有して前面開放の箱状であって、底部１３には支持部１４が突設してある。また、側板部１５には切込部１６が設けてある。上記のような端子板ボックス９に収設する端子板１１は、図示の実施例によれば、３枚の端子板１１A、１１B、１１Cからなる。」（第２頁右上欄第１７行−左下欄第１４行）
　
３．本願発明と引用発明との対比検討
（１）本願発明と引用発明との対比
　本願発明と引用発明とを対比すると、引用発明の「打球発射装置１０３」「合流樋部１３２ｄ」「案内樋１３３」「封入球循環装置１３０」「前面枠１０８」「フレームボード１０９」「変換スイッチ１１３」「終了スイッチ１１５」「金額表示器１１１、玉数表示器１１２、遊技状態表示器１１６」「操作パネル１１０」「アナログランプ１６３、パチンコ機状態ランプ１６２、セーフ球ランプ１６４」「カード式パチンコ遊技機」は、それぞれ、本願発明における「発射装置」「遊技盤面に発射されたパチンコ球を回収する回収部」「パチンコ球を打球位置へ送り出す待機誘導部」「循環経路」「本体枠」「取付基板」「玉貸しスイッチ」「終了スイッチ」「表示パネル」「操作パネル」「各種情報を点灯表示する表示灯」「カード式パチンコ機」に相当する。
　また、引用発明の「打球発射装置１０３の制御装置１９４」「役物制御装置１５８」と本願発明の「発射装置制御基板」「メイン基板」とは、それぞれ「発射装置制御装置」「入賞装置の取り扱いを主として処理制御する制御装置」として共通する。
　また、引用発明の「ユニット制御装置１８０」は、本願発明の「表示灯基板」とは、「表示灯制御装置」として共通し、本願発明の「ターミナル基板」とは、「パチンコ機において発生した各種情報を外部へ出力する出力装置」として共通する。
　そうすると、本願発明と引用発明の両者は「打球位置へ送り込まれかつ発射装置によって遊技盤面に発射されたパチンコ球を回収する回収部と、パチンコ球を前記打球位置へ送り出す待機誘導部と、を備えた循環経路内に一定個数のパチンコ球を封入した状態で循環使用する循環型のカード式パチンコ機において、本体枠の下部に取付基板を装着し、前記本体枠に前面側に球貸しスイッチと終了スイッチと表示パネルとが設けられた操作パネルを備え、前記遊技盤の後方にはその遊技盤面に配設された入賞装置の取扱いを主として処理制御する制御装置を設け、前記本体枠の上端部にはこの本体枠の前面上部で各種情報を点灯表示する表示灯用の表示灯制御装置と、当該パチンコ機において発生した各種情報を外部へ出力する出力装置とを設け、発射装置制御装置は、発射装置の発射モータの近傍に配置されている循環型のカード式パチンコ機」である点で一致し、
　
　以下の点で相違しているものと認められる。
・ 相違点ａ
　本願発明は、循環経路が、回収部から出た球を貯留して誘導する貯留誘導部と、その貯留誘導部のパチンコ球を送り出す球送り装置とを備え、また、取付基板に、循環経路のパチンコ球を検出する検出器に接続されかつ球送り装置を駆動する球送りモータを制御する球循環制御基板と、発射装置を駆動する発射モータを制御する発射装置制御基板を設け、球循環制御基板は、発射装置と球送り装置との間において球送りモータの近傍に配置されているのに対し、引用発明は、封入球循環装置１３０が、合流樋部１３２ｄから案内樋１３３へ至る経路中に、貯留誘導部と球送り装置とに相当する構成を備えず、また、封入球循環装置１３０及び発射制御装置１９４はフレームボード１０９に設けられているが、封入球循環装置１３０は制御装置自体を設けていない点。
・ 相違点ｂ
　本願発明は、本体枠に開閉および脱着可能に係止されて前面側にカード挿入口が設けられた操作パネルの裏面側には表示回路基板と、カードリードアンドライトユニットと前記球循環制御基板との間を伝送されるデータ信号を中継するカードユニット接続用中継基板とを装着しているのに対し、引用発明は、操作パネルが本体枠に開閉および脱着可能であるか不明であり、また、カード挿入口及びカードリードアンドライトユニットが、操作パネルの前面側ではなく前面枠の上端部に設けられ、操作パネルの裏面側に表示回路基板とカードユニット接続用中継基板を装着していない点。
・相違点ｃ
　発射制御装置、入賞装置の取扱いを主として処理制御する制御装置、各種情報を点灯表示する表示灯用の表示灯制御装置、パチンコ機において発生した各種情報を外部へ出力する出力装置等の各種の回路や装置が、本願発明は基板で構成されているのに対し、引用発明は基板で構成されているか否か不明である点。
・相違点ｄ
　本願発明は、本体枠の各個所で個別に独立させた状態でそれぞれ設けられた各基板をコネクタによって電気的に接続しているのに対し、引用発明は、各制御装置間を光ケーブルで接続している点。
　
（２）相違点の検討
i．相違点ａについて
　第２引用例（特開平３−２２８７８９号公報）には、パチンコ機内外でパチンコ球を循環させる循環型のカード式パチンコ機において、球を貯留可能な導出樋３１及びその下方の中間通路と、モータ３２２により駆動され前記導出樋３１及び中間球通路に貯留されたパチンコ球を送り出す球切円盤３２６，３２６と、その球切円盤３２６，３２６を発射位置１５ａへ送り出す打球供給部２１とを備えた循環経路を設けたこと、及び、打球供給部２１に設けられた残量球数検出器４６の検出結果により、マイクロコンピュータ６８を介して、打球払い出し信号を打球払出手段３２へ出力し、マイクロコンピュータ６８が、パチンコ機１の裏面の下部の打球槌５７と打球払出手段３２の間に設けられていることが記載され、「導出樋３１及び中間通路」「球切円盤３２６，３２６」「マイクロコンピュータ６８」「残量球数検出器４６」「モータ３２２」「打球槌５７」は、それぞれ、本願発明における「貯留誘導部」「球送り装置」「球循環制御装置」「検出器」「球送り装置を駆動する球送りモータ」「発射装置」に相当する。
　そうすると、引用発明において、回収部と待機誘導部との間に、第２引用例に記載されている貯留誘導部及び球送り装置を設けること、また、球の循環を制御する際に、第２引用例に記載されている球循環制御装置、検出器及び球送り装置を駆動するモータを用いることは、引用発明と第２引用例に記載の発明がいずれも循環型のカード式パチンコ機に関し技術分野が同一である以上、当業者にとって格別困難なことではない。
　そして、第２引用例には、球循環制御装置がパチンコ機の裏面下部で発射装置と球送り装置との間に設けられていることが記載されているから、当該球循環制御装置を引用発明に適用した際に、パチンコ機の下方に位置する取付基板に設けることは当業者が適宜なし得る程度の単なる設計的事項にすぎず、また、球循環制御装置を球送りモータの近傍とすることは球循環制御装置が他の制御を兼ねない球送りのみの単独の制御装置であれば、接続配線を短くする等の諸事情に応じて当業者が適宜決定し得る事項にすぎない。
ii．相違点ｂについて
　引用発明において、操作パネルの前面側にカード挿入口を設け、裏面側にカードアンドライトユニットを設け、本体枠に操作パネルを開閉および脱着可能に係止する構成とすることは、第４引用例に、カードの読み書き装置を内蔵し、カードの挿入口１０ａを備えた媒体処理関連装置１０が固着された取付基盤１２が、開閉および脱着可能とされていることとして記載されていることを考慮すれば、当業者にとって格別困難なことではない。さらに、引用発明の操作パネル裏面側に表示回路基板を設けることは、操作パネルの前面側に表示パネルが設けられており、表示回路基板が表示パネルに付随するものである以上、当業者にとって自明であり、該操作パネル裏面側にカードユニット接続用中継基板を設けることは、引用発明を認定した第１引用例中にも中継基板１５９として記載されているように、信号の中継が必要な箇所に中継基板を設けることが周知技術である以上、当業者が容易に想到し得たものである。
iii．相違点ｃについて
　パチンコ機の各種の回路や制御装置等を基板で形成することが、第３引用例（特開平４−１４６７８４号公報）等に記載されているように周知技術である以上、制御基板自体を前記取付基板に設けることは当業者にとって自明な事項にすぎない。また同様に、発射制御基板についても、発射制御装置が取付基板に設けられていることが記載されている以上、発射制御基板自体を前記取付基板に設けることは当業者にとって自明な事項にすぎない。
iv．相違点ｄについて
　パチンコ機の技術分野において、制御装置等の各基板間をコネクタにより電気的に接続することが、第５引用例（実願平１−７５９６６号（実開平３−１５５９３号）のマイクロフィルム）及び第６引用例（特開昭６３−２８３６７０号公報）等に記載されているように周知技術である以上、引用発明において、各制御装置等の間の接続をコネクタにより電気的に接続することに格別の困難性は認められない。
v．作用効果について
　本願発明における作用効果は、引用発明、第２引用例に記載の発明、第４引用例に記載の発明及び前記周知技術とに基づいて、当業者が当然予測できるものと認められる。
　
（３）まとめ
　よって、本願発明は、引用発明、第２引用例に記載の発明、第４引用例に記載の発明及び前記周知技術に基づいて当業者が容易に発明をすることができたものである。
　
４．むすび
　以上のとおり、本願発明は、引用発明、第２引用例に記載の発明、第４引用例に記載の発明及び前記周知技術に基づいて当業者が容易に発明をすることができたものと認められるので、特許法第２９条第２項の規定により特許を受けることができない。
　よって、結論のとおり審決する。